(57)【要約】【課題】社内通用のセキュリティーカードとして普及が見込まれるＩＣカードや磁気カード表面の記録媒体上に、電子写真法、熱転写法、インクジェット方式などによって、画像形成材料による画像形成を行い、さらにデータ記録媒体であるＩＣチップや磁気テープの劣化や障害を防止し、記録媒体を全く損傷することなく、ドライアイス粒、ドライアイススノー、ドライアイスと氷の混合粒などを噴射剤および投射剤としたブラスト法により画像形成材料のみを除去する方法及び装置に関するものである。【解決手段】記録媒体表面にトナーまたはインクにより形成された画像記録層を、ドライアイス粒、ドライアイススノー、ドライアイスと氷の混合粒などを噴射剤および投射剤としたブラスト法により記録層のみを除去することを特徴とした記録媒体の再生方法。【選択図】        図１
2006301190.tif 000002
【特許請求の範囲】
【請求項１】
記録媒体表面にトナーまたはインクにより形成された画像記録層を、ドライアイス粒、ドライアイススノー、ドライアイスと氷の混合粒などを噴射剤および投射剤としたブラスト法により記録層のみを除去することを特徴とした記録媒体の再生方法。
【請求項２】
前記記録媒体が合成樹脂プラスチックであり、ＩＣチップおよび画像表示裏面に磁気テープなどデータ記録媒体を有することを特徴とする請求項１に記載の記録媒体の再生方法。
【請求項３】
前記記録媒体の劣化や破壊を防止する機能を有する請求項１に記載の記録媒体の再生方法。
【請求項４】
導電性の金属および万が一記録媒体が浮き上がった時の急激な電荷発生回避として漏洩抵抗値５０ＫΩ以上の抵抗を持たせた導電性の合成樹脂で構成された記録媒体を保持およびアースすることを特徴とする請求項１に記載の記録媒体の再生方法。
【請求項５】
画像除去と同時に温度ヒーターまたは温風吹付けにより記録媒体を温め、且つデータ記録媒体が温度による劣化・破壊に至らないように温度制御することを特徴とする請求項１に記載の記録媒体の再生方法。
【請求項６】
記録媒体表面にトナーまたはインクにより形成された画像記録層を、ドライアイス粒、ドライアイススノー、ドライアイスと氷の混合粒などを噴射剤および投射剤としたブラスト法により記録層のみを除去することを特徴とした記録媒体の再生装置。
【請求項７】
前記記録媒体が合成樹脂プラスチックであり、ＩＣチップおよび画像表示裏面に磁気テープなどデータ記録媒体を有することを特徴とする請求項６に記載の記録媒体の再生装置。
【請求項８】
前記記録媒体の劣化や破壊を防止する機能を有することを特徴とする請求項６に記載の記録媒体の再生装置。
【請求項９】
導電性の金属および万が一記録媒体が浮き上がった時の急激な電荷発生回避として漏洩抵抗値５０ＫΩ以上の抵抗を持たせた導電性の合成樹脂で構成された記録媒体を保持およびアースすることを特徴とする請求項６に記載の記録媒体の再生装置。
【請求項１０】
画像除去と同時に温度ヒーターまたは温風吹付けにより記録媒体を温め、且つデータ記録媒体が温度による劣化・破壊に至らないように温度制御する手段を有することを特徴とする請求項６に記載の記録媒体の再生装置。
【発明の詳細な説明】
【技術分野】
【０００１】
発明は記録媒体の再生方法及び記録媒体の再生装置に関し、電子写真法、熱転写法、インクジェット方式などを用いる印刷法等により画像形成を行う装置に用いられる。詳細としては、主に社内通用のセキュリティーカードとして普及が見込まれるＩＣカードや磁気カード表面の記録媒体上に、前述の画像形成装置によって、画像形成材料による画像形成を行い、さらにデータ記録媒体であるＩＣチップや磁気テープの劣化や障害を防止し、記録媒体を全く損傷することなく、画像形成材料のみを除去する方法及び装置に関するものである。
【０００２】
その他、変形応用例として、例えば有価証券的な性質を持つ乗車定期券カード、銀行キャッシュカード、スーパーマーケットカード、アミューズメントカード等に適用可能。
【背景技術】
【０００３】
近年の磁気カードやＩＣカードの発達により、いろいろな分野でデータ記録媒体カードが採用されている。特にセキュリティー分野では、センター管理システムでカード使用状況を１枚ごとに把握するとともに、社内における職場単位での通用の可否を制限するなどの効果があるデータ記録媒体カードを社内通用カードに採用する会社が増えている。併せて、社内通用カードの表面に顔写真を印刷し、警備員の巡回にて、社内通用カード使用者本人であるかどうかの確認を行うケースが増加し、使用者本人である証明としての顔写真についても、１年ごとに更新するなどの対応が増加傾向にある。
【０００４】
こうした状況において、カード表面に画像形成材料による顔写真等の画像形成がされていない場合は、近年の電子技術の発達によって、電子写真法、熱転写法、インクジェット方式などを用いる印刷法等により、容易に画像形成を行うことが可能である。
【０００５】
しかし、一度画像形成されたＩＣチップ及び磁気テープを有する個人の社内入出エリア可否情報が記録されたカードの場合、記録媒体を全く損傷することなく、画像形成材料のみを除去する方法が必要である。また、カード自体を１年ごとに使い捨てる方法があるが、カード製作コスト及び情報再入力の手間がかかるなどの多くの問題がある。
【０００６】
こうした問題を解決する方法として、磁気テープやＩＣチップを有する記録媒体に限定してはいないが、一度使用した用紙上に形成された画像を化学的、あるいは物理的に消去して再利用する方法が提案されている。例えば電子写真法で得られた画像を消去する方法として、以下の公報に記載されている方法をあげることができる。
【０００７】
特許文献１には、トナーなどの熱可塑性樹脂または熱溶解性樹脂で主として形成された画像形成物質の除去を画像除去促進液の膨潤と物理的な剥離で行い、記録媒体の再生を行う方法が記載されている。しかし、この方法では、画像形成物質が画像除去促進液の膨潤効果がある物質に限定されることや、記録媒体が画像除去促進液の溶媒で膨潤し、さらに物理的に画像形成物質を剥離することから、記録媒体表面が劣化する問題がある。
【０００８】
特許文献２には、電子写真用トナーとして独自に発明したトナーを用い、それを用いた印字物を除去、記録媒体の再生を行う方法が記載されている。しかし、この方法では、画像形成物質が電子写真用トナーとして独自に発明したトナーに限定されることや、記録媒体表面を物理的に擦過することから、記録媒体表面が劣化する問題がある。
【０００９】
特許文献３には、用紙表面にトナー離型性のよい皮膜を形成することで、トナーを除去する技術が開示されている。この方法は、主としてパルプ繊維で構成されている基材上に、シリコーン化合物と酸化チタンなどの微粒子を含む液組成物を塗布または含浸し乾燥させて皮膜を形成し、この皮膜上に画像が形成した後、熱ローラに通紙することでトナーを除去するものである。しかし、この方法は、記録媒体表面にトナー離型性のよい皮膜を形成する制約や、トナー除去後も記録媒体表面が化学結合した皮膜で覆われているために、記録媒体そのものの再生は困難である。
【００１０】
特許文献４には、有機質粒子よりなるブラスト材を噴射することにより、予め耐ブラスト層を形成した記録媒体表面から記録層を除去することを特徴とする記録媒体の再生方法が開示されている。この方法は、記録媒体表面のトナーやインキの除去には効果的であるが、有機質粒子よりなるブラスト材ということで耐ブラスト層を形成した記録媒体の制約が残る。また、記録媒体にＩＣチップや磁気テープのデータ記録媒体を有する場合、有機質粒子よりなるブラスト法では、有機質粒子と記録媒体が衝突するときに発生する摩擦熱と静電気によりＩＣチップや磁気テープが劣化及び障害を生じる問題がある。
【００１１】
摩擦熱の問題については、記録層の密着力を低下するためのホットプレート状の加熱または冷却機構を備えた装置であり、応用的な使い方で摩擦熱の解消に貢献はするが、ＩＣチップや磁気テープの劣化及び障害温度を制御する機構がないために問題が残ってしまう。また、静電気の問題についても磁気テープが劣化及び障害を生じる問題がある。
【特許文献１】特開平７−３０１９４０号公報
【特許文献２】特開平８−２２０７９２号公報
【特許文献３】特開平９−２０４０６１号公報
【特許文献４】特開２０００−２８４６５７号公報
【発明の開示】
【発明が解決しようとする課題】
【００１２】
従って、本発明は、下記の課題を解決した方法及び装置を提供することを目的とする。
【００１３】
１．ＩＣチップ及び磁気テープなどを有する記録媒体のリサイクルが無限に可能な記録媒体の再生方法及び記録媒体の再生装置。
【００１４】
２．ＩＣチップ及び磁気テープのデータ記録媒体の機能劣化や機能障害を防止し、ＩＣカード及び磁気カードなどの表面画像記録済の記録媒体基材を損傷しないで付着したトナーやインキのみを除去する記録媒体の再生方法及び記録媒体の再生装置。
【課題を解決するための手段】
【００１５】
この発明は下記の構成を備えることにより上記課題を解決できるものである。
【００１６】
ＩＣカード及び磁気カードのデータ記録媒体の機能劣化や機能障害を防止し、ドライアイス粒、ドライアイススノー、ドライアイスと氷の混合粒などを噴射剤として、ブラスト法にてカード基材を傷めず付着したトナーやインキのみを除去することを特徴とする記録媒体の再生方法及び記録媒体の再生装置。
【００１７】
なお、さらに説明すれば、本発明の第一の発明について下記のように示す。
【００１８】
（１）記録媒体表面にトナーまたはインクにより形成された画像記録層を、ドライアイス粒、ドライアイススノー、ドライアイスと氷の混合粒などを噴射剤および投射剤としたブラスト法により記録層のみを除去することを特徴とした記録媒体の再生方法。
【発明の効果】
【００１９】
本発明によれば、ＩＣチップ及び磁気テープなどを有する記録媒体のリサイクルが無限に可能である。また、ＩＣチップ及び磁気テープのデータ記録媒体の機能劣化や機能障害を防止できる。社内通用のカード画像の書き替え、その他、例えば有価証券的性質を持つ乗車定期券カード、銀行キャッシュカード、スーパーマーケットカード、アミューズメントカード等に好適に適用できる。
【発明を実施するための最良の形態】
【００２０】
本発明は、図１に示すＩＣチップ２及び磁気テープ３などのデータ記録媒体を内蔵する合成樹脂製等の記録媒体１の表面に、トナーやインキ等の記録形成材料によって既に記録された記録層４を有する記録媒体の表面を、図２に示す噴射剤５（ドライアイス粒、ドライアイススノー、ドライアイスと氷の混合粒など）をキャリアガスと共にキャリアガスブラスト噴射装置７によって、噴射あるいはブラストして、記録媒体基材を傷めず付着した表面の記録層のみを除去する方法または、図３に示す投射剤５（ドライアイス粒、ドライアイススノー、ドライアイスと氷の混合粒など）をモータが動力となったブレード回転羽８に強制的に送り込み、送り込まれた投射剤９を高速で回転するブレード回転羽によってブラストする、いわゆるショットブラスト装置にて、投射あるいはブラストして、記録媒体基材を損傷しないで付着した表面の記録層のみを除去する方法である。
【００２１】
また、図２及び図３に示す２種類のドライアイス粒、ドライアイススノー及びドライアイスと氷の混合粒を噴射剤及び投射剤としたブラスト法による記録層のみの除去方法において、噴射剤及び投射剤が噴射及び投射によって発生する静電気と、記録媒体表面に噴射剤及び投射剤が衝突するときに発生する静電気と、記録媒体表面から記録形成材料が除去されるときに発生する静電気などによって、記録媒体に内蔵されたＩＣチップ及び磁気テープの静電気障害及び静電気による機能劣化問題が発生する。この問題を解決するためには、図４に示す記録媒体接地ステー１０を金属製及び導電性合成樹脂製にして強制的にアースを取るグランド１３により静電気を強制排除し、静電気障害及び静電気による機能劣化の防止をする。
【００２２】
併せて、噴射剤及び投射剤の温度が約−７９℃のドライアイス粒、ドライアイススノー及びドライアイスと氷の混合粒を使用するため、噴射剤及び投射剤が記録媒体に衝突する際、記録媒体が急激に冷却されてしまうため、内蔵されたＩＣチップ及び磁気テープの低温耐久温度を超えることによる機能障害及び機能劣化の問題が発生する可能性がある。この問題を解決するためには、図４に示す記録媒体接地ステー１０に熱電対及びヒーター１１を内蔵させて、その熱電対及びヒーターを温度制御装置１２よって制御を行うことで接地した記録媒体の裏面を暖め、記録媒体表面の記録層のみを除去する際の急激な冷却を抑制しＩＣチップ及び磁気テープの低温による障害及び機能劣化を防止することができる。また、別の方法としては、噴射剤及び投射剤が記録媒体に衝突する表面に、同時に温風を噴射する方法も考えられるが、その時も温度制御装置によって制御を行う必要がある。
【００２３】
噴射剤及び投射剤によるブラスト法にて、記録済み記録媒体表面の記録層を除去するこの時のコントロール設定温度としては、例えば一般に市販されているＩＣテレホンカードの動作温度−２０℃〜＋６０度、保存温度として−３０℃〜＋７０℃が技術公開されているが、この時の動作温度内で再生可能な対応を図り、限界点として保存温度を超えないように制御をする。ただし、ＩＣチップ及び磁気テープに関しては、製作メーカーによって耐久温度が異なる場合があるので、再生しようとするＩＣカード及び磁気カードの耐久温度内で再生可能な制御ができる装置とする。
【００２４】
（１）記録媒体接地ステーに温度センサーを内蔵し、制御装置に連動させることによって、ヒーター及び温風の温度をＩＣカード及び磁気カードの耐久温度内で管理する。
【００２５】
（２）予め、再生しようとするＩＣカード及び磁気カードの再生時に、ヒーター及び温風を使って温度を上昇させることによりＩＣカード及び磁気カードの耐久温度内になる値を記録し、その値を記録媒体再生時の設定温度として管理する。
【００２６】
以上のような、いかなる方法でも記録媒体の再生温度を制御する方法は良くて、必ずＩＣカード及び磁気カードの耐久温度内で再生処理する方法および装置を特徴とする。
【実施例】
【００２７】
実験１）再生時における記録媒体表面の記録層除去および表面状態
合成樹脂製等の記録媒体の表面に、トナーやインキ等の記録形成材料によって既に記録された記録層を有する記録媒体の表面を、ドライアイス粒、ドライアイススノー、ドライアイスと氷の混合粒などをキャリアガスと共にキャリアガスブラスト噴射装置によって、噴射あるいはブラストして、記録媒体基材を傷めず付着した表面の記録層のみを除去する時の実験結果である。
【００２８】
実験方法としては、合成樹脂製等の記録媒体表面に実験１：カラーレーザービームプリンター（商品名：カラーレーザーショットＬＢＰ２０４０：キヤノン製）及び、実験２：バブルジェット(登録商標)プリンター（商品名：ＰＩＸＵＳ８５０ｉ：キヤノン製）にて、カラー画像を転写し記録層を作成した。その記録層にドライアイス粒およびドライアイススノーをキャリアガスと同時にブラストおよび噴射した時のブラスト噴射剤の粒径、キャリアガス設定放出圧力、噴射距離、記録壮除去時間、記録媒体の表面状態を確認した。また、記録媒体にはＩＣカードおよび磁気カードで一般に使用されるＰＥＴ材と、合成樹脂の一般的なＡＢＳにて実験を実施した。
【００２９】
結果としては、表１：実験結果はカラーレーザービームプリンター（商品名：カラーレーザーショットＬＢＰ２０４０：キヤノン製）にて、カラー画像を転写しトナー記録層を作成した後にドライアイス粒およびドライアイススノーをキャリアガスと同時にブラストおよび噴射してトナー記録層を除去したときのデータである。記録媒体の表面を損傷することなくトナー記録層の除去が確認できた。また、表２：実験結果はバブルジェット(登録商標)プリンター（商品名：ＰＩＸＵＳ８５０ｉ：キヤノン製）にて、カラー画像を転写しインク記録層を作成した後にドライアイス粒をキャリアガスと同時にブラストおよび噴射してインク記録層を除去したときのデータである。カラーレーザービームプリンターによるトナー記録層の除去時間より少々多くかかった。
【００３０】
【表１】
2006301190.tif 000003
【００３１】
【表２】
2006301190.tif 000004
【００３２】
実験２）再生時における記録媒体などの帯電量
合成樹脂製等の記録媒体の表面に、トナーやインキ等の記録形成材料によって既に記録された記録層を有する記録媒体の表面を、ドライアイス粒φ２〜０．２ｍｍを噴射剤としてキャリアガス設定放出圧力５ｋｇｆ／ｃｍ２と共にキャリアガスブラスト噴射装置によって、噴射あるいはブラストして、記録媒体基材を傷めず付着した表面の記録層のみを除去する時の、合成樹脂等の記録媒体の帯電量を測定した。
【００３３】
表３：実験結果は合成樹脂の帯電量の結果であり、噴射時間と共に静電気による帯電量が増加することがわかった。表４：実験結果は帯電防止剤コーティングが施された合成樹脂の帯電量の結果である。帯電防止剤コーティングを施すことによって帯電量は激減するが、噴射時間によって増加する傾向は表３：実験結果と同じである。
【００３４】
【表３】
2006301190.tif 000005
【００３５】
【表４】
2006301190.tif 000006
【００３６】
実験３）ＩＣチップなどの静電気による障害
次に、実験３は静電気に弱いと考えられる電子部品をＩＣチップなどの仮想と見立て、ＬＤ（レーザーダイオード）：商品型番ＳＬＤ１３４ＳＶ、ソニー製およびＤＲＡＭ：商品型番ＩＳ４１Ｃ１６２５６−３５Ｋ、ＩＣＳＩ製を選定した。そのＬＤおよびＤＲＡＭに直接ドライアイス粒φ２〜０．２ｍｍを噴射剤としてキャリアガス設定放出圧力５ｋｇｆ／ｃｍ２と同時にブラストおよび噴射した時の静電気障害および劣化状態を確認した。この時、ＬＤおよびＤＲＡＭにはアース対策はとらずに浮いた状態でブラストおよび噴射を受けたときの静電気による障害および劣化の状態を確認した。
【００３７】
結果としてブラストおよび噴射によって発生する静電気により、静電気障害および劣化の状況は表５：実験結果によって明らかのように、約半数のＬＤおよびＤＲＡＭが静電気による影響を受けることがわかった。この結果、何も静電気対策をとらずにＩＣチップ及び磁気テープのデータ記録媒体を内蔵した記録媒体表面のトナーやインキの記録層をドライアイス粒、ドライアイススノー、ドライアイスと氷の混合粒などを噴射剤としてブラスト法にて除去すると、内蔵するＩＣチップおよび磁気テープのデータ記録媒体が機能劣化や機能障害を起こすことが解かった。
【００３８】
【表５】
2006301190.tif 000007
【００３９】
また、そうした状況においては、ブラストおよび噴射によって発生する静電気を防止し、ＩＣチップや磁気テープなどのデータ記録媒体の保護が必要不可欠な要素となる。
【００４０】
実験４）除電エアー同時噴射による静電気障害防止状況
対応策としては、イオナイザーにより除電エアーを同時に噴射して帯電物をイオン化する方法を確認した。帯電レベルを多少低くすることは可能であり効果としてはある。ただし、ブラスト方による静電帯電量が大きく静電気帯電を防止するには大掛かりな除電エアーが必要であり、もし帯電した場合には除電する時間が必要となる。
【００４１】
実験５）ＩＣチップなどにアース対策を実施した時の静電気障害防止状況
次に、実験５は静電気に弱いと考えられる電子部品をＩＣチップなどの仮想と見立て、ＬＤ（レーザーダイオード）：商品型番ＳＬＤ１３４ＳＶ、ソニー製およびオペアンプ：商品型番ＳＬ３２４、Ｓｙｓｔｅｍ  Ｌｏｇｉｃ  Ｓｅｍｉｃｏｎｄｕｃｔｏｒ製を選定した。そのＬＤおよびオペアンプに直接ドライアイス粒φ０．２〜２ｍｍを噴射剤としてキャリアガス設定放出圧力５ｋｇｆ／ｃｍ２、３ｋｇｆ／ｃｍ２を同時にブラストおよび噴射した時の静電気障害および劣化状態を確認した。この時、ＬＤおよびオペアンプには、アースを目的とした金属製、導電性合成樹脂製（導電性ジュラコン）のグランドを取った板状の接地治具に輪ゴム等で固定し、アース対策を実施した状態でブラストおよび噴射を受けたときの静電気による障害および劣化の状態を確認した。
【００４２】
結果としてブラストおよび噴射によって発生する静電気により、静電気障害および劣化の状況は表６：実験結果となった。アース対策によってＬＤおよびオペアンプが静電気による影響を受け無いことがわかった。ただし、金属製接地治具によるアース対策にてＬＤの静電気障害結果では、キャリアガス設定圧力５ｋｇｆ／ｃｍ２の結果が１／２個の特性劣化を発生したことが確認できた。劣化状況については商品のスペック内であるが、初期値に比べて特性が劣化しているため、部品寿命が短くなる可能性が有る。
【００４３】
また、劣化が起こった原因としては、ＬＤおよびオペアンプと接地治具固定が輪ゴムでの固定実験のため、キャリアガス設定圧力５ｋｇｆ／ｃｍ２でブラストおよび噴射をした結果、キャリアガス設定圧力３ｋｇｆ／ｃｍ２よりＬＤ接地面が浮いた状態になり、一瞬でもＬＤが浮いた状態になるとＬＤ内の導体部分が近傍の電界により静電誘導を受ける。その後接地治具に触れた時に放電を起こして障害を与えたためである。
【００４４】
この結果は、金属製の接地治具であったため障害を受けたと判断できる。金属自体の抵抗は非常に低いため、帯電した物体が触れた場合、急激に電荷を放出いわゆる放電し部品に与える影響は大きい。帯電した物体が触れた場合、金属よりカーボンなどのある程度抵抗を持ったものの方が急激に電荷が流れないため部品に与える影響は少ないといえる。実験では、表面抵抗率：１０４Ω／ｓｑを持った導電性ジュラコン製接地治具によるアース対策にてＬＤの静電気障害において、キャリアガス設定圧力５ｋｇｆ／ｃｍ２の結果で解かるように特性劣化を発生しなかった。
【００４５】
このことは、ＩＣチップや磁気テープのデータ記録媒体を内蔵する合成樹脂製等の記録媒体が、金属製接地ステーからブラストおよび噴射の圧力によって浮き上がらない固定装置、例えば記録媒体の淵を両側１ｍｍづつ引っ掛け部として浮き上がり防止機構とするなどが好ましい。また、記録層の状態で淵無し印刷の場合は引っ掛け部作成が困難なために導電性ジュラコン等の表面抵抗を持った接地ステーとして、記録媒体が帯電してしまった場合の安全を考えるとすることが好ましい。また、帯電した記録媒体を徐々に除電する理想値としては、表面低効率：１０５Ω／ｓｑ程度であることが解かった。
【００４６】
【表６】
2006301190.tif 000008
【００４７】
実験６）ドライアイス粒を記録媒体にブラストしたときの表面温度状況
合成樹脂製等の記録媒体の表面を、ドライアイス粒、ドライアイススノー、ドライアイスと氷の混合粒などをキャリアガスと共にキャリアガスブラスト噴射装置によって、噴射あるいはブラストして記録媒体基材表面の表面温度状況の実験を実施した。
【００４８】
表７の実験結果から、５秒間噴射で一般に市販されているＩＣテレホンカードで技術公開されている動作温度−２０℃〜＋６０度を超える結果となった。また、１０秒間噴射で保存温度−３０℃〜＋７０℃を超える結果となった。
【００４９】
【表７】
2006301190.tif 000009
【００５０】
実験７）熱ヒーターで温めた記録媒体にドライアイス粒ブラスト時の表面温度状況
次に、合成樹脂製等の記録媒体保持具の中にヒーターを入れ、記録媒体の表面温度を５０℃になるように温度制御装置によってコントロールを行い、同時に記録媒体の表面を、ドライアイス粒、ドライアイススノー、ドライアイスと氷の混合粒などをキャリアガスと共にキャリアガスブラスト噴射装置によって、噴射あるいはブラストして記録媒体基材表面の表面温度状況の実験を実施した。
【００５１】
表８の実験結果から、５秒間および１０秒間噴射で一般に市販されているＩＣテレホンカードで技術公開されている動作温度−２０℃〜＋６０度を下回る結果となった。
【００５２】
【表８】
2006301190.tif 000010
【図面の簡単な説明】
【００５３】
【図１】図１は本発明の再生する記録媒体を示す概略図である。
【図２】図２は本発明の実施形態を示す概略図である。
【図３】図３は本発明の実施形態を示す概略図である。
【図４】図４は本発明の実施形態を示す概略図である。
【符号の説明】
【００５４】
１  記録媒体
２  ＩＣチップ
３  磁気テープ
４  記録層
５  噴射剤及び投射剤（ドライアイス粒、ドライアイススノー、ドライアイスと氷の混合粒）
６  除去された記録層
７  キャリアガスブラスト噴射装置
８  ブレード羽
９  送り込まれた投射剤
１０  記録媒体接地ステー
１１  熱電対及びヒーター
１２  温度制御装置
１３  グランド
【図１】
2006301190.tif 000011
【図２】
2006301190.tif 000012
【図３】
2006301190.tif 000013
【図４】
2006301190.tif 000014